【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
遊技機の遊技盤に設けられた複数の障害釘に対して異なる種類の整備を行う障害釘整備工程と、該障害釘整備工程にて整備を行った遊技盤の障害釘を検査する釘検査工程とを含む遊技機の製造方法であって、
前記障害釘整備工程は、
障害釘の整備を行う遊技盤が移動しないように障害釘整備装置に保持する第１保持ステップと、
前記第１保持ステップにて保持された遊技盤の障害釘に対して第１種類の整備を障害釘整備装置によって行う第１整備ステップと、
前記第１保持ステップにおける保持制御とは異なる保持制御にて障害釘整備装置に遊技盤を保持する第２保持ステップと、
前記第２保持ステップにて保持された遊技盤の障害釘に対して前記第１種類の整備とは異なる第２種類の整備を障害釘整備装置によって行う第２整備ステップと、
を含む
ことを特徴とする遊技機の製造方法。
【手続補正２】
【補正対象書類名】明細書
【補正対象項目名】発明の名称
【補正方法】変更
【補正の内容】
【発明の名称】遊技機の製造方法
【手続補正３】
【補正対象書類名】明細書
【補正対象項目名】０００１
【補正方法】変更
【補正の内容】
【０００１】
本発明は、遊技機の遊技盤に設けられた複数の障害釘に対して異なる種類の整備を行う障害釘整備工程を含む遊技機の製造方法に関する。
【手続補正４】
【補正対象書類名】明細書
【補正対象項目名】０００７
【補正方法】変更
【補正の内容】
【０００７】
本発明は、このような問題点に着目してなされたもので、整備不良の障害釘の発生を防ぐことのできる遊技機の製造方法を提供することを目的とする。
【手続補正５】
【補正対象書類名】明細書
【補正対象項目名】０００８
【補正方法】変更
【補正の内容】
【０００８】
手段１の遊技機の製造方法は、
遊技機の遊技盤に設けられた複数の障害釘に対して異なる種類の整備を行う障害釘整備工程と、該障害釘整備工程にて整備を行った遊技盤の障害釘を検査する釘検査工程とを含む遊技機の製造方法であって、
前記障害釘整備工程は、
障害釘の整備を行う遊技盤が移動しないように障害釘整備装置に保持する第１保持ステップと、
前記第１保持ステップにて保持された遊技盤の障害釘に対して第１種類の整備を障害釘整備装置によって行う第１整備ステップと、
前記第１保持ステップにおける保持制御とは異なる保持制御にて障害釘整備装置に遊技盤を保持する第２保持ステップと、
前記第２保持ステップにて保持された遊技盤の障害釘に対して前記第１種類の整備とは異なる第２種類の整備を障害釘整備装置によって行う第２整備ステップと、
を含む
ことを特徴としている。
また、手段２に記載の障害釘整備装置は、
遊技機の遊技盤に設けられた複数の障害釘に対して異なる種類の整備を行うことが可能な障害釘整備装置であって、
障害釘の整備を行う遊技盤が移動しないように保持可能な保持手段と、
前記保持手段による遊技盤の保持を制御する制御手段と、
を備え、
前記制御手段は、第１種類の整備を行うときには、該第１種類の整備とは異なる第２種類の整備を行うときと異なる保持制御を行う
ことを特徴としている。
【手続補正６】
【補正対象書類名】明細書
【補正対象項目名】０００９
【補正方法】変更
【補正の内容】
【０００９】
手段３の障害釘整備装置は、手段２に記載の障害釘整備装置であって、
障害釘の整備は、複数の工具を使用する整備であって、
前記第１種類の整備と前記第２種類の整備とでは、使用する工具が異なる
ことを特徴としている。
【手続補正７】
【補正対象書類名】明細書
【補正対象項目名】００１０
【補正方法】変更
【補正の内容】
【００１０】
手段４の障害釘整備装置は、手段２または手段３に記載の障害釘整備装置であって、
前記複数の障害釘は、区分の異なる障害釘を含み、
前記第１種類の整備と前記第２種類の整備とでは、整備する障害釘の区分が異なる
ことを特徴としている。
【手続補正８】
【補正対象書類名】明細書
【補正対象項目名】００１１
【補正方法】変更
【補正の内容】
【００１１】
手段５の障害釘整備方法は、
遊技機の遊技盤を移動しないように保持して、該遊技盤に設けられた複数の障害釘に対して異なる種類の整備を行うための障害釘整備方法であって、
障害釘に対して第１種類の整備を行うときには、該第１種類の整備とは異なる第２種類の整備を行うときに遊技盤が移動しないように保持する保持制御とは異なる保持制御を行う
ことを特徴としている。
【手続補正９】
【補正対象書類名】明細書
【補正対象項目名】００１２
【補正方法】変更
【補正の内容】
【００１２】
手段６の障害釘整備方法は、手段５に記載の障害釘整備方法であって、
障害釘の整備は、複数の工具を使用する整備であって、
前記第１種類の整備と前記第２種類の整備とでは、使用する工具が異なる
ことを特徴としている。
【手続補正１０】
【補正対象書類名】明細書
【補正対象項目名】００１３
【補正方法】変更
【補正の内容】
【００１３】
手段７の障害釘整備方法は、手段５または手段６に記載の障害釘整備方法であって、
前記複数の障害釘は、区分の異なる障害釘を含み、
前記第１種類の整備と前記第２種類の整備とでは、整備する障害釘の区分が異なる
ことを特徴としている。
【手続補正１１】
【補正対象書類名】明細書
【補正対象項目名】００１４
【補正方法】変更
【補正の内容】
【００１４】
手段８の障害釘整備システムは、
遊技機の遊技盤に設けられた複数の障害釘に対して異なる種類の整備を行うことが可能な障害釘整備装置と、該障害釘整備装置を管理する管理装置と、を含む障害釘整備システムであって、
前記管理装置は、障害釘に対して第１種類の整備を行うときには、該第１種類の整備とは異なる第２種類の整備を行うときに遊技盤が移動しないように保持する保持制御とは異なる保持制御を行うための整備データを前記障害釘整備装置に送信する
ことを特徴としている。
【手続補正１２】
【補正対象書類名】明細書
【補正対象項目名】００１５
【補正方法】変更
【補正の内容】
【００１５】
手段９の障害釘整備システムは、手段８に記載の障害釘整備システムであって、
障害釘の整備は、複数の工具を使用する整備であって、
前記第１種類の整備と前記第２種類の整備とでは、使用する工具が異なる
ことを特徴としている。
【手続補正１３】
【補正対象書類名】明細書
【補正対象項目名】００１６
【補正方法】変更
【補正の内容】
【００１６】
手段１０の障害釘整備システムは、手段８または手段９に記載の障害釘整備システムであって、
前記複数の障害釘は、区分の異なる障害釘を含み、
前記第１種類の整備と前記第２種類の整備とでは、整備する障害釘の区分が異なる
ことを特徴としている。
【手続補正１４】
【補正対象書類名】明細書
【補正対象項目名】００１７
【補正方法】変更
【補正の内容】
【００１７】
手段１１の管理装置は、
遊技機の遊技盤に設けられた複数の障害釘に対して異なる種類の整備を行うことが可能な障害釘整備装置を管理する管理装置であって、
障害釘に対して第１種類の整備を行うときには、該第１種類の整備とは異なる第２種類の整備を行うときに遊技盤が移動しないように保持する保持制御とは異なる保持制御を行うための整備データを前記障害釘整備装置に送信する
ことを特徴としている。
【手続補正１５】
【補正対象書類名】明細書
【補正対象項目名】００１８
【補正方法】変更
【補正の内容】
【００１８】
手段１２の管理装置は、手段１１に記載の管理装置であって、
障害釘の整備は、複数の工具を使用する整備であって、
前記第１種類の整備と前記第２種類の整備とでは、使用する工具が異なる
ことを特徴としている。
【手続補正１６】
【補正対象書類名】明細書
【補正対象項目名】００１９
【補正方法】変更
【補正の内容】
【００１９】
手段１３の管理装置は、手段１１または手段１２に記載の管理装置であって、
前記複数の障害釘は、区分の異なる障害釘を含み、
前記第１種類の整備と前記第２種類の整備とでは、整備する障害釘の区分が異なる
ことを特徴としている。
【手続補正１７】
【補正対象書類名】明細書
【補正対象項目名】００２０
【補正方法】変更
【補正の内容】
【００２０】
手段１４に記載の障害釘整備装置は、
遊技機（例えば、パチンコ遊技機１）の遊技盤面（例えば、遊技盤２の遊技盤面２ａ）に設けられた複数の障害釘（例えば、障害釘２００）に対して異なる種類の整備（例えば、障害釘２００の種類が異なる整備や変形量が異なる整備）を行うことが可能な障害釘整備装置（例えば、障害釘整備装置３００）であって、
障害釘の整備を行う遊技盤（例えば、遊技盤２）が移動しないように保持可能な保持手段（例えば、一対の昇降クランプ３２０）と、
前記保持手段による遊技盤の保持を制御する制御手段（例えば、障害釘整備装置３００の制御ユニット３００’）と、
を備え、
前記制御手段は、第１種類の整備（例えば、指定釘の障害釘２００の整備や閾値以上の変形量の整備）を行うときには、該第１種類の整備とは異なる第２種類の整備（例えば、指定釘以外の障害釘２００の整備や閾値未満の変形量の整備）を行うときと異なる保持制御を行う（例えば、図１１に示すように、指定釘の障害釘２００の整備や閾値以上の変形量の整備を行う場合にはクランプ制御パターンＢによるクランプ制御を行い、指定釘以外の障害釘２００の整備や閾値未満の変形量の整備を行う場合には、クランプ制御パターンＡによるクランプ制御を行う部分）
ことを特徴としている。
この特徴によれば、遊技盤を好適に保持することができるので、異なる種類の整備を適切に行うことができる。
【手続補正１８】
【補正対象書類名】明細書
【補正対象項目名】００２１
【補正方法】変更
【補正の内容】
【００２１】
手段１５に記載の障害釘整備方法は、
遊技機の遊技盤（例えば、遊技盤２）を移動しないように保持して、該遊技盤の盤面（例えば、遊技盤面２ａ）に設けられた複数の障害釘（例えば、障害釘２００）に対して異なる種類の整備（例えば、障害釘２００の種類が異なる整備や変形量が異なる整備）を行うための障害釘整備方法であって、
障害釘に対して第１種類（例えば、指定釘の障害釘２００の整備や閾値以上の変形量の整備）の整備を行うときには、該第１種類の整備とは異なる第２種類の整備（例えば、指定釘以外の障害釘２００の整備や閾値未満の変形量の整備）を行うときに遊技盤が移動しないように保持する保持制御とは異なる保持制御を行う（例えば、図１１に示すように、指定釘の障害釘２００の整備や閾値以上の変形量の整備を行う場合にはクランプ制御パターンＢによるクランプ制御を行い、指定釘以外の障害釘２００の整備や閾値未満の変形量の整備を行う場合には、クランプ制御パターンＡによるクランプ制御を行う部分）
ことを特徴としている。
この特徴によれば、遊技盤を好適に保持することができるので、異なる種類の整備を適切に行うことができる。
【手続補正１９】
【補正対象書類名】明細書
【補正対象項目名】００２２
【補正方法】変更
【補正の内容】
【００２２】
手段１６の障害釘整備システムは、
遊技機（例えば、パチンコ遊技機１）の遊技盤面（例えば、遊技盤２の遊技盤面２ａ）に設けられた複数の障害釘（例えば、障害釘２００）に対して異なる種類の整備（例えば、障害釘２００の種類が異なる整備や変形量が異なる整備）を行うことが可能な障害釘整備装置（例えば、障害釘整備装置３００）と、該障害釘整備装置を管理する管理装置（例えば、管理コンピュータ５００）と、を含む障害釘整備システムであって、
前記管理装置は、障害釘に対して第１種類の整備（例えば、指定釘の障害釘２００の整備や閾値以上の変形量の整備）を行うときには、該第１種類の整備とは異なる第２種類の整備（例えば、指定釘以外の障害釘２００の整備や閾値未満の変形量の整備）を行うときに遊技盤が移動しないように保持する保持制御（例えば、クランプ制御パターンＡによるクランプ制御）とは異なる保持制御（例えば、クランプ制御パターンＢによるクランプ制御）を行うための整備データ（例えば、第２整備データ）を前記障害釘整備装置に送信する
ことを特徴としている。
この特徴によれば、遊技盤を好適に保持することができるので、異なる種類の整備を適切に行うことができる。
【手続補正２０】
【補正対象書類名】明細書
【補正対象項目名】００２３
【補正方法】変更
【補正の内容】
【００２３】
手段１７の管理装置は、
遊技機（例えば、パチンコ遊技機１）の遊技盤面（例えば、遊技盤２の遊技盤面２ａ）に設けられた複数の障害釘（例えば、障害釘２００）に対して異なる種類の整備（例えば、障害釘２００の種類が異なる整備や変形量が異なる整備）を行うことが可能な障害釘整備装置（例えば、障害釘整備装置３００）を管理する管理装置（例えば、管理コンピュータ５００）であって、
障害釘に対して第１種類の整備（例えば、指定釘の障害釘２００の整備や閾値以上の変形量の整備）を行うときには、該第１種類の整備とは異なる第２種類の整備（例えば、指定釘以外の障害釘２００の整備や閾値未満の変形量の整備）を行うときに遊技盤が移動しないように保持する保持制御（例えば、クランプ制御パターンＡによるクランプ制御）とは異なる保持制御（例えば、クランプ制御パターンＢによるクランプ制御）を行うための整備データ（例えば、第２整備データ）を前記障害釘整備装置に送信する
ことを特徴としている。
この特徴によれば、遊技盤を好適に保持することができるので、異なる種類の整備を適切に行うことができる。
【手続補正２１】
【補正対象書類名】明細書
【補正対象項目名】００２４
【補正方法】変更
【補正の内容】
【００２４】
手段１８の障害釘整備装置、障害釘整備方法、障害釘整備システムまたは管理装置は、手段１４〜１７のいずれかに記載の障害釘整備装置、障害釘整備方法、障害釘整備システムまたは管理装置であって、
障害釘の整備は、複数の工具（例えば、図１２に示す工具種別Ａ〜Ｃ）を使用する整備であって、
前記第１種類の整備と前記第２種類の整備とでは、使用する工具が異なる（例えば、整備工具種別Ｂ・Ｃの整備工具を使用する整備の場合にはクランプ制御パターンＢによるクランプ制御を行い、整備工具種別Ａの整備工具を使用する整備の場合にはクランプ制御パターンＡによるクランプ制御を行う部分）
ことを特徴としている。
この特徴によれば、工具の違いに応じて遊技盤を好適に保持することができるので、異なる種類の整備を適切に行うことができる。
【手続補正２２】
【補正対象書類名】明細書
【補正対象項目名】００２５
【補正方法】変更
【補正の内容】
【００２５】
手段１９の障害釘整備装置、障害釘整備方法、障害釘整備システムまたは管理装置は、手段１４〜１８のいずれかに記載の障害釘整備装置、障害釘整備方法、障害釘整備システムまたは管理装置であって、
前記複数の障害釘は、種類の異なる障害釘（例えば、指定釘と指定釘以外の釘）を含み、
前記第１種類の整備と前記第２種類の整備とでは、整備する障害釘の種類が異なる（例えば、指摘釘の障害釘２００の整備の場合にはクランプ制御パターンＢによるクランプ制御を行い、指摘釘以外の障害釘２００の整備の場合にはクランプ制御パターンＡによるクランプ制御を行う部分）
ことを特徴としている。
この特徴によれば、障害釘の違いに応じて遊技盤を好適に保持することができるので、異なる種類の整備を適切に行うことができる。
【手続補正２３】
【補正対象書類名】明細書
【補正対象項目名】００２６
【補正方法】変更
【補正の内容】
【００２６】
手段２０の障害釘整備装置、障害釘整備方法、障害釘整備システムまたは管理装置は、手段１４〜１９のいずれかに記載の障害釘整備装置、障害釘整備方法、障害釘整備システムまたは管理装置であって、
障害釘の整備においては、複数の整備動作（例えば、変形量が閾値以上の整備と閾値未満の整備）による整備が可能であって、
前記第１種類の整備と前記第２種類の整備とでは、整備する整備動作が異なる（例えば、変形量が閾値以上の整備の場合にはクランプ制御パターンＢによるクランプ制御を行い、変形量が閾値未満の整備の場合にはクランプ制御パターンＡによるクランプ制御を行う部分）
ことを特徴としている。
この特徴によれば、整備動作の違いに応じて遊技盤を好適に保持することができるので、異なる種類の整備を適切に行うことができる。
【手続補正２４】
【補正対象書類名】明細書
【補正対象項目名】００２８
【補正方法】変更
【補正の内容】
【００２８】
手段２１に記載の障害釘整備装置、障害釘整備方法、障害釘整備システムまたは管理装置は、手段１４〜２０のいずれかに記載の障害釘整備装置、障害釘整備方法、障害釘整備システムまたは管理装置であって、
前記遊技盤を保持する保持状態においては、該遊技盤に形成されたガイド孔（例えば、図８に示す、遊技盤２の４カ所に穿設された４つのガイド孔）に、該ガイド孔の内径よりも小径のガイドピン（図８に示すガイドピン）が挿通された状態で、該ガイドピンと交差する方向に付勢されている（例えば、２つのスライドクランプ３３０により左水平方向に付勢（押されて）いる部分）
ことを特徴としている。
この特徴によれば、保持されている遊技盤の位置精度を高めることができる。